(57)【要約】【課題】  極めて簡便な構造でありながら、操作性を向上させることができるとともに、スイッチの損傷を回避することができるワイヤレス送信器を提供する。【解決手段】  ワイヤレス送信器は、凸曲面状の主面の裏面側における左右両端部に突起状の係止片１２ｂを設けた押しボタン部材１２を、本体部に設けられたバネ２７によって上方に付勢しつつ、係止片１２ｂを本体部内部に形成された受け部３１に係合させている。そして、押しボタン部材１２は、主面の略中央部が押下された場合には、係止片１２ｂが下方に移動してスイッチ２４をオン状態に切り替え、主面の端部が押下された場合には、押下された側とは逆側の端部に形成されている係止片１２ｂと受け部３１とによる係合部位を軸として本体部に対して回転し、且つ、押下された側の受け部３１に係合している係止片１２ｂが下方に移動してスイッチ２４をオン状態に切り替えるように動作する。【選択図】      図６
2007088951.tif 000002
【特許請求の範囲】
【請求項１】
少なくとも当該押しボタン部材の操作にともないオン状態に切り替えるスイッチが実装された基板を収納する本体部と、
操作面となる凸曲面状の主面を有し、前記本体部に対して摺動するように当該本体部と係合し、押下操作可能に構成された押しボタン部材とを備え、
前記本体部は、前記スイッチが前記押しボタン部材の主面略中央に位置するように前記基板を収納しており、
前記押しボタン部材は、
前記凸曲面状の主面の裏面側における左右両端部に、係止部を設け、前記本体部に設けられた弾性体としてのバネによって上方に付勢されつつ、前記係止部を前記本体部内部に形成された受け部に係合させており、
前記主面の略中央部が押下された場合には、前記受け部に係合している前記係止部が下方に移動するのにともない、前記スイッチに当接してオン状態に切り替え、
前記主面の端部が押下された場合には、押下された側とは逆側の端部に形成されている前記係止部と前記受け部とによる係合部位を軸として前記本体部に対して回転し、且つ、押下された側の前記受け部に係合している前記係止部が下方に移動するのにともない、前記スイッチに当接してオン状態に切り替えること
を特徴とするワイヤレス送信器。
【請求項２】
前記スイッチは、前記押しボタン部材の周端面よりも上方に配設されていること
を特徴とする請求項１記載のワイヤレス送信器。
【発明の詳細な説明】
【技術分野】
【０００１】
本発明は、客席等に設置して従業員等の呼び出しを行うワイヤレス送信器に関する。
【背景技術】
【０００２】
従来から、飲食店等においては、顧客に対する従業員の迅速な応対を目的として、客席の卓上毎に、所定の押しボタンの押下に応じて呼出信号を送信するワイヤレス送信器を設け、このワイヤレス送信器からの呼出信号を所定のワイヤレス受信器によって受信することにより、呼び出しがあった旨を従業員に通知するワイヤレスコールシステムが使用されている（例えば、特許文献１等参照。）。
【０００３】
飲食店等のサービス提供者は、このようなワイヤレスコールシステムを利用することにより、最低限、顧客からの要求があった場合に接客等の各種サービスを提供すればよいため、必要以上に従業員を雇うことを回避することができ、経営上の無駄なコストを削減することができる。また、従業員が、顧客の要求に迅速に対応することが可能となることから、来店した顧客のサービスに対する満足度が向上し、営業上の大きなメリットを獲得することができる。
【特許文献１】特開平９−２１２７５４号公報
【発明の開示】
【発明が解決しようとする課題】
【０００４】
ところで、上述したワイヤレスコールシステムに使用される従来のワイヤレス送信器は、押しボタンの操作面が所定の面積を有するものであり、且つ、当該押しボタンの摺動部が本体部に対してスライド移動する構造となっていた。そのため、従来のワイヤレス送信器においては、押しボタンの操作面の略中央部が押下された場合には、略直下方向に押圧力が作用し、動作に支障が生じないものの、操作面の端部が押下された場合には、摺動部に回転力が生じることから、当該押しボタンの端部が本体部の筐体等と干渉することがあり、押下に対する反応が悪化するという問題があった。
【０００５】
また、従来のワイヤレス送信器においては、押しボタンの操作面の形状が略平面となっていることから、当該ワイヤレス送信器から若干離れた場所にいる操作者が操作する場合には、指を操作面の真上に位置させた状態で押下する必要があり、操作性が悪いという問題もあった。
【０００６】
さらに、従来のワイヤレス送信器においては、押しボタンの端部を本体部に対して回転可能に支持することにより、端部からの押下操作にも対応できるタイプのものも存在する。しかしながら、この種のワイヤレス送信器においては、同じ押圧力で押下した場合であっても、操作面上における押下場所に応じて回転支持点からの距離が変化するため、内蔵されたスイッチに伝達される力が大きく異なり、スイッチを損傷しやすいという問題もあった。
【０００７】
そこで、本発明は、上述した実情に鑑みて提案されたものであり、極めて簡便な構造でありながら、操作性を向上させることができるとともに、スイッチの損傷を回避することができるワイヤレス送信器を提供することを目的とする。
【課題を解決するための手段】
【０００８】
本発明に係るワイヤレス送信器は、凸曲面状の主面の裏面側における左右両端部に係止部を設けた押しボタン部材を、本体部に設けられたバネによって上方に付勢しつつ、係止部を本体部内部に形成された受け部に係合させている。そして、本発明に係るワイヤレス送信器において、押しボタン部材は、主面の略中央部が押下された場合には、受け部に係合している係止部が下方に移動するのにともない、スイッチに当接してオン状態に切り替え、主面の端部が押下された場合には、押下された側とは逆側の端部に形成されている係止部と受け部とによる係合部位を軸として本体部に対して回転し、且つ、押下された側の受け部に係合している係止部が下方に移動するのにともない、スイッチに当接してオン状態に切り替えるように動作することで、上述の課題を解決する。
【発明の効果】
【０００９】
本発明に係るワイヤレス送信器によれば、極めて簡便な構造でありながら、操作性を向上させることができるとともに、スイッチの損傷を回避することができる。
【発明を実施するための最良の形態】
【００１０】
以下、本発明の実施の形態について図面を参照して説明する。
【００１１】
［実施形態に係るワイヤレス送信器の概略構成］
この実施形態に係るワイヤレス送信器は、図１(ａ)乃至図１(ｃ)に示すように、略楕円状の底面を有するドーム状の筐体によって外観が形成されている。この筐体は、下部を形成する本体部１１と、この本体部１１の上面を覆うように配設された押しボタン部材１２とに大別されて構成される。
【００１２】
このようなワイヤレス送信器は、操作者が押しボタン部材１２を押下操作するのに応じて、当該ワイヤレス送信器を識別するための識別情報を含む無線信号を所定のワイヤレス受信器に対して送信することにより、操作者が従業員等を呼んでいる旨を知らせる。また、ワイヤレス送信器は、押しボタン部材１２が押下されたことを操作者自身が確認できるように、当該押しボタン部材１２が押下操作されるのに応じて、所定の通知音を出力したり、所定の光源による点灯動作を行ったりすることが可能に構成される。
【００１３】
［実施形態に係るワイヤレス送信器の詳細構成］
このようなワイヤレス送信器は、具体的には、図２に分解斜視図、及び図３に図２中Ｘ−Ｘ断面図を示すように構成される。
【００１４】
本体部１１は、後述する基板２１を支持するベース部材１３を備える。このベース部材１３の底部は、当該ワイヤレス送信器の駆動電力を供給する一次電池１４が装着される電池ケースとして構成され、この電池ケースは、所定の蓋部材１５が取り付けられることによって閉塞される。また、このベース部材１３には、支持している基板２１への水分の浸入を防止するために、後述する中カバー部材２２との接合部の内側近傍領域であって基板２１の主面よりも大きい領域の周囲にわたって、凸状の防水壁１６が設けられている。
【００１５】
また、押しボタン部材１２は、操作面となる凸曲面状の主面を有し、本体部１１に対して摺動するように当該本体部１１と係合することにより、当該本体部１１の上面を覆いつつ押下可能に構成される。
【００１６】
このような本体部１１と押しボタン部材１２とによって形成される内部空間には、押しボタン部材１２が押下操作されるのに応じて無線信号を送信する電子部品等が実装された基板２１と、この基板２１の全体を覆うように配設された中カバー部材２２とが収納されている。
【００１７】
基板２１は、ベース部材１３に設けられたネジ穴１７に挿入される所定のネジ２３等を介して、ベース部材１３に取り付けられる。ここで、ベース部材１３には、基板２１を支持するための基板支持部材１８が設けられている。基板２１は、この基板支持部材１８により、ベース部材１３と中カバー部材２２との接合部よりも高い位置に支持される。
【００１８】
また、基板２１には、少なくともスイッチ２４が実装されている。このスイッチ２４は、押しボタン部材１２が押下操作されるのに応じて、オン状態に切り替えられる。ワイヤレス送信器は、このスイッチ２４がオン状態に切り替えられるのに応じて、電池ケースに装着された一次電池１４から供給される駆動電力に基づいて、無線信号の送信を行うとともに、所定の通知音の出力や光源による点灯動作等を行う。
【００１９】
なお、基板２１は、このスイッチ２４が押しボタン部材１２の主面略中央に位置するように、ベース部材１３に取り付けられる。また、基板２１は、図１(ｂ)に破線で示したように、押しボタン部材１２の主面が凸曲面状であることから、当該押しボタン部材１２の周端面よりも上方にスイッチ２４が配設される。
【００２０】
中カバー部材２２は、所定のネジ２５等を介して本体部１１におけるベース部材１３と接合することにより、押しボタン部材１２と基板２１との間に当該基板２１の全体を覆うように介設される。この中カバー部材２２は、所定の防水性を有する基体２６と、この基体２６の最上面に当該基体２６と一体成型された渦巻状のバネ２７と、バネ２７の渦巻き中心位置にバネ２７とともに一体成型され、バネ２７の付勢力を伝える突起受け部２７Ａとからなり、通常時は、このバネ２７によって突起受け部２７Ａを介して押しボタン部材１２を上方に付勢している。
【００２１】
そして、中カバー部材２２は、押しボタン部材１２が押下操作されるのに応じて、当該押しボタン部材１２の裏面に設けられた突起１２ａによって突起受け部２７Ａを下方に押下することにより、突起受け部２７Ａがバネ２７の付勢力に抗して下方に変位し、基板２１上に実装されたスイッチ２４に当接するように動作する。また、中カバー部材２２は、押しボタン部材１２の押下が解除されるのに応じて、バネ２７の付勢力によって突起受け部２７Ａを上方に変位させることにより、スイッチ２４から離れるように動作する。すなわち、ワイヤレス送信器においては、押しボタン部材１２の押下操作をスイッチ２４に伝達するための弾性体として、中カバー部材２２とは別個のバネ部材を設けるのではなく、当該中カバー部材２２と一体成型されたバネ２７、突起受け部２７Ａを設けている。
【００２２】
このような構造からなるワイヤレス送信器においては、押しボタン部材１２が押下操作されるのに応じて、基板２１の全体を覆う中カバー部材２２にバネ２７とともに一体成型された突起受け部２７Ａが下方に変位し、変位した突起受け部２７Ａによってスイッチ２４を押下することにより、当該スイッチ２４がオフ状態からオン状態へと切り替わる。これにより、ワイヤレス送信器においては、無線信号の送信、通知音の出力、及び光源による点灯動作が行われる。
【００２３】
ここで、ワイヤレス送信器においては、押しボタン部材１２の操作面たる主面の略中央部が押下された場合であっても、主面の端部が押下された場合であっても、何ら支障なく動作し、且つ、スイッチ２４に伝達される力も同程度とするような構造を備える。
【００２４】
具体的には、押しボタン部材１２は、上述したように、通常時は、バネ２７によって上方に付勢されているが、この付勢力によって本体部１１との係合が解除されないように、図２及び図３に示したように、操作面となる凸曲面状の主面の裏面側における左右両端部に、突起状の係止片１２ｂを設け、これら２つの係止片１２ｂを、中カバー部材２２の左右両側壁に窪むように形成された受け部３１に係合させている。
【００２５】
また、図３に示すように、ベース部材１３は、中カバー部材２２との接合部近傍における係止片１２ｂ及び受け部３１の周囲領域に、当該ベース部材１３によって高さ方向の距離が画定される間隙ａが形成されるように構成されている。
【００２６】
このようなワイヤレス送信器においては、押しボタン部材１２の主面の端部が押下操作された場合には、押下された側とは逆側の端部に形成されている係止片１２ｂと受け部３１とによる係合部位を軸として、当該押しボタン部材１２が本体部１１に対して回転可能であり且つ下方に移動可能に支持される。
【００２７】
具体的には、ワイヤレス送信器においては、通常時には、図４に示すように、中カバー部材２２に成型されたバネ２７、突起受け部２７Ａによって押しボタン部材１２を上方に付勢しつつ、係止片１２ｂと受け部３１とが係合することにより、当該押しボタン部材１２が所定の定常位置を保持する。
【００２８】
そして、ワイヤレス送信器においては、図５中矢印Ａで示すように、押しボタン部材１２の主面の略中央部が押下された場合には、同図に示すように、係止片１２ｂと受け部３１とによる係合部位に対応して形成されている間隙ａの高さを上限として、２つの係止片１２ｂがともに略直下方向に移動して当該押しボタン部材１２が移動する。これにともない、ワイヤレス送信器においては、突起受け部２７Ａが下方に変位し、基板２１上に実装されたスイッチ２４に当接することにより、オン状態に切り替わる。
【００２９】
これに対して、ワイヤレス送信器においては、図６中矢印Ａで示すように、押しボタン部材１２の主面の右端部が押下された場合には、同図に示すように、当該押しボタン部材１２の左端部に形成されている係止片１２ｂと受け部３１とによる係合部位を軸として、同図中矢印Ｂで示すように、当該押しボタン部材１２が本体部１１に対して右回りに回転し、且つ、当該押しボタン部材１２の右端部に形成されている係止片１２ｂが下方に移動して当該押しボタン部材１２が移動する。これにともない、ワイヤレス送信器においては、中カバー部材２２の突起受け部２７Ａが下方に変位し、基板２１上に実装されたスイッチ２４に当接することにより、オン状態に切り替わる。
【００３０】
図示しないが、逆側の端部を押下した場合も、同じ理由により中カバー部材２２の突起受け部２７Ａが下方に変位し、基板２１上に実装されたスイッチ２４に当接することにより、オン状態に切り替わる。
【００３１】
このように、ワイヤレス送信器においては、押しボタン部材１２の主面が凸曲面状であることから押下方向が限定され、また、押下場所が端部である場合には、押下された側とは逆側の端部に形成されている係止片１２ｂと受け部３１とによる係合部位が回転支持軸となる。
【００３２】
なお、ここでは、本体部１１における中カバー部材２２とベース部材１３とが別個の部材であり、中カバー部材２２に受け部３１を形成するものとして説明したが、ワイヤレス送信器においては、中カバー部材２２とベース部材１３とが一体であってもよい。すなわち、ワイヤレス送信器においては、本体部１１の内部に受け部３１や間隙ａを形成すればよい。
【００３３】
また、突起状の係止片１２ｂと受け部３１による、この係合部位の関係は、互いに逆になるようにしてもよい。例えば、押しボタン部材１２の操作面となる凸曲面状の主面の裏面側における左右両端部に設けられた突起状の係止片１２ｂを係止溝などとし、中カバー部材２２の左右両側壁に窪むように形成された受け部３１を、この係止溝に係合するような形状とすることで、図４乃至図６を用いて説明したような動作を得ることができる。したがって、このように、突起状の係止片１２ｂと受け部３１による係合部位の関係を逆になるように構成した場合であっても、係合部位としての関係は保たれるため同様の効果を得ることができる。
【００３４】
［実施形態の効果］
以上詳細に説明したように、実施形態に係るワイヤレス送信器において、押しボタン部材１２は、凸曲面状の主面の裏面側における左右両端部に突起状の係止片１２ｂを設け、本体部１１に設けられたバネ２７によって上方に付勢されつつ、係止片１２ｂを本体部１１内部に形成された受け部３１に係合させている。そして、押しボタン部材１２は、主面の略中央部が押下された場合には、受け部３１に係合している係止片１２ｂが下方に移動するのにともない、スイッチ２４に当接してオン状態に切り替え、主面の端部が押下された場合には、押下された側とは逆側の端部に形成されている係止片１２ｂと受け部３１とによる係合部位を軸として本体部１１に対して回転し、且つ、押下された側の受け部３１に係合している係止片１２ｂが下方に移動するのにともない、スイッチ２４に当接してオン状態に切り替えるように動作する。
【００３５】
このように、このワイヤレス送信器においては、押しボタン部材１２の主面が凸曲面状であることから押下方向が限定され、操作者が指を主面の真上に位置させた状態で押下する必要がなく、また、押下場所が端部である場合には、押下された側とは逆側の端部に形成されている係止片１２ｂと受け部３１とによる係合部位が回転支持軸となることから、押下場所に応じて回転支持点からの距離の変化を小さくすることができ、摺動部に回転力が生じずに本体部１１の筐体等と干渉することがなくなる。また、このワイヤレス送信器においては、押しボタン部材１２の主面が凸曲面状であることから、スイッチ２４に伝達される力が適度に弱まり、押下場所に応じて回転支持点からの距離が変化することによるスイッチ２４への伝達力の差を軽減することができる。したがって、このワイヤレス送信器においては、極めて簡便な構造でありながら、操作性を向上させることができるとともに、スイッチ２４の損傷を回避することができる。
【００３６】
また、このワイヤレス送信器においては、押しボタン部材１２の主面が凸曲面状であることから、当該押しボタン部材１２の周端面よりも上方にスイッチ２４を配設することができる。したがって、このワイヤレス送信器においては、押しボタン部材１２の周端面と本体部１１との間隙から水分が浸入する危険性を低減して高い防水性能を実現することができ、信頼性を高めることができる。
【００３７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３８】
【図１】本発明の実施形態として示すワイヤレス送信器の概略外観構成を示す（ａ）は平面図であり、（ｂ）は側面図であり、（ｃ）は正面図である。
【図２】本発明の実施形態として示すワイヤレス送信器の詳細構成を示す分解斜視図である。
【図３】図２中Ｘ−Ｘ断面図である。
【図４】本発明の実施形態として示すワイヤレス送信器の詳細構成を示す断面図であり、通常時の様子を示す図である。
【図５】本発明の実施形態として示すワイヤレス送信器の詳細構成を示す断面図であり、押しボタン部材の主面の略中央部が押下された様子を示す図である。
【図６】本発明の実施形態として示すワイヤレス送信器の詳細構成を示す断面図であり、押しボタン部材の主面の右端部が押下された様子を示す図である。
【符号の説明】
【００３９】
１１  本体部
１２  押しボタン部材
１２ａ  突起
１２ｂ  係止片
１３  ベース部材
１４  一次電池
１５  蓋部材
１６  防水壁
１７  ネジ穴
１８  基板支持部材
２１  基板
２２  中カバー部材
２３，２５  ネジ
２４  スイッチ
２６  基体
２７  バネ
３１  受け部
【図１】
2007088951.tif 000003
【図２】
2007088951.tif 000004
【図３】
2007088951.tif 000005
【図４】
2007088951.tif 000006
【図５】
2007088951.tif 000007
【図６】
2007088951.tif 000008